(57)【要約】【課題】ウオーターサーバーに水素ガス含有飲料用液体を提供する従来の液体包装袋は、外層がアルミ箔積層フイルム、内層がフイルムであり、ウオーターサーバーのニードルで穿刺するとアルミ箔積層フイルムが裂けて、そこから液体や空気が漏れる欠点がある。【解決手段】ウオーターサーバーにセットされて中空のニードルが差し込まれ、重力によって水素ガス含有飲料用液体をニードルから流下させるものであって、金属箔積層フイルムからなる内袋を内層としてその口元一杯まで水素ガス含有飲料用液体を充填して封印した後、一軸延伸多層フイルム或いは一軸延伸単層フイルムで真空包装して外層とすることにより、ニードル穿刺部分の破損を防止する。【選択図】図４
2015006899.tif 000002
【特許請求の範囲】
【請求項１】
ウオーターサーバーにセットされて中空のニードルが差し込まれ、重力によって水素含有飲料用液体をニードルから流下させるものであって、金属箔積層フイルムからなる内袋を内層としてその口元一杯まで水素含有飲料用液体を充填して封印した後、一軸延伸（又は無延伸）多層フイルム或いは一軸延伸（又は無延伸）単層フイルムで真空包装して外層としたことを特徴とする液体包装袋。
【請求項２】
ウオーターサーバーにセットされて中空のニードルが差し込まれ、重力によって水素含有飲料用液体をニードルから流下させるものであって、金属箔積層フイルムからなる内袋を内層とし、該内袋の外面に適宜寸法に裁断した一軸延伸（又は無延伸）多層フイルム或いは一軸延伸（又は無延伸）単層フイルムの四方をヒートシール或いは部分真空包装して、該内袋の口元一杯まで水素含有飲料用液体を充填して封印することを特徴とする液体包装袋。
【請求項３】
ウオーターサーバーにセットされた請求項１又は請求項２記載の液体包装袋の一軸延伸（又は無延伸）多層フイルム或いは一軸延伸（又は無延伸）単層フイルム部分に、ウオーターサーバーのニードルを穿刺して液体飲料をウオーターサーバーの液体飲貯留タンクに供給することを特徴とする、ウオーターサーバーへの水素ガス含有液体の供給方法。
【発明の詳細な説明】
【技術分野】
【０００１】
本発明は、飲料用の液体を充填する液体用包装に関し、更に詳しくはウオーターサーバーにセットされて気体の水素を含有する飲料用液体を供給するのに好適な液体包装袋、及び該液体包装袋を用いてウオーターサーバーに水素ガス含有飲料用液体を供給する方法に関するものである。
【背景技術】
【０００２】
最近、水素水が生体内の代表的な活性酸素であるヒドロキシラジカルを還元消去することが分かり、水素ガスが様々な疾患の治療と予防、アンチエイジング、美容、スポーツ時の乳酸生成の抑制等に効果があることが明らかにされつつあり、水素を含有する飲料用液体特に水素水が飲料分野で注目されて来ている。
【０００３】
一方、ここ十数年来ウオーターサーバーが各企業や一般家庭でかなり広く使用し始められている。これは、水道水に疑問を持ち天然水をボトルで購入していた人々が購入や搬送の手間を省くためにガロンボトルで購入するようになり、このガロンボトルをセットするウオーターサーバーの購入使用が広がっていることによる。特に、近時放射能汚染のおそれからもウオーターサーバーの使用が増えている。
【０００４】
そこで、この両者を併用して、ウオーターサーバーで水素水を提供する例が特許文献１のように見られつつある。この特許文献１は、ウオーターサーバーのタンク内に人工ゼオライトを設置し、このゼオライトで水素を発生させるものである。また、インターネットにも、ウオーターサーバー内に投入した特殊セラミックで水素を発生させるものが多数開示されている。
【０００５】
ところが、水素分子（水素ガス）は、ウオーターサーバーの水入れを形成するポリカーボネートボトルの基材（バリア層）より分子量が小さく、ボトルから短時間（精々２日〜５日程度）で蒸散してしまう。また、ウオーターサーバーのボトル内の水は消費されるにつれて水面が下がり、水の上の空気層に水素ガスが揮発するため、ボトル内の飲料には殆ど水素ガスは存在しないことになる。
【先行技術文献】
【特許文献】
【０００６】
【特許文献１】特開２０１０−１８８３３１号公報
【発明の概要】
【発明が解決しようとする課題】
【０００７】
この問題を解決するために、ウオーターサーバーにセットされて中空のニードルが差し込まれ、重力によって飲料用の水素水をニードルから流下させる液体包装袋が提案されている。また、ウオーターサーバー用のポリカーボネートボトルは、使用後回収する手間がかかり、その点でも、ワンウエイ式の液体包装袋が称揚されつつある。
【０００８】
ところで、従来提案されている水素水用の液体包装袋は、内層をフイルム、外層をアルミ箔積層フイルムで構成したものである。液体包装袋は、上部に空間が生じないように口部まで一杯に充填した場合、内部の飲料物が流下するとその分だけ体積が減少するため空気が溜まる空間ができない特徴がある。また、この外層がアルミ箔のウオーターサーバーは、水素ガスを通さないので、飲料物内に含まれる水素ガスはずっと止まっている。
【０００９】
ところが、この外層がアルミ箔積層フイルムの液体包装袋は、ウオーターサーバーにセットし、内部の液体を流下させるニードルを穿刺するとアルミ箔積層フイルムが裂けてしまい、穿刺した部分から水素水や空気が漏れて使い物にならないことが判明した。
【課題を解決するための手段】
【００１０】
本発明者は、この問題を解決するために種々研究した結果、本発明を完成させたものである。即ち、本発明は、ウオーターサーバーにセットされて中空のニードルが差し込まれ、重力によって水素含有の飲料物をニードルから流下させるものであって、金属箔積層フイルムを内層とし、一軸延伸多層フイルム（或いは一軸延伸単層フイルム）を外層とし、内層に外層を被せたものを真空包装機に投入して外層を内層に密着させたたことを特徴とする液体包装袋である。或いは、一軸延伸フイルムの裁断片を金属箔積層フイルムの外側の一部に真空包装して密着させるものである。真空包装する場合の真空の度合いは、真空度が高いほどよく、圧力ゲージで−７６０ｍｍＨｇ〜−７４０ｍｍＨｇである（ゲージ圧表記／絶対真空は−７６０ｍｍＨｇ）。より好ましくは、−７６０ｍｍＨｇ〜−７５０ｍｍＨｇである。
【００１１】
本発明の液体包装袋は、アルミ箔積層フイルムなどの金属箔積層フイルムを内層とするため、飲用物から水素ガスが発生しても液体包装袋の外に漏出や飛散することがない。また、液体包装袋の上部に空間が生じないように注入口部まで一杯に飲用物を充填するので、内部の飲料物が流下するとその分だけ体積が減少するため空気が溜まる空間ができない。従って、液体包装袋内の飲用物には元の水素ガス濃度が常に保たれる。
【００１２】
しかも、本発明の液体包装袋は、ニードルを刺し入れても、外層に保護されて内側層のアルミ箔積層フイルムが破れることが無く、しかも、外側の一軸延伸多層フイルムが刺し入れたニードルをきつく抱え込んで隙間を形作らないため、刺し入れたところから液漏れや空気漏れが生じることがない。従って、液体包装袋内の飲用物を最後までスムーズに排出する事が出来る。
【００１３】
アルミニウム箔などの金属箔は、どのような金属箔であっても水素ガスの通過を阻止する能力を持っている。金属箔としては、アルミニウムやアルミニウム合金の箔の他に、チタン、ステンレス、ニッケル、パーマロイ、ベリリウム銅、燐青銅、洋白、モリブデン、真鍮、ニクロム、タンタル、亜鉛、錫、銀ロウ、銀、銅、鉄、鉛、コパール、ジルコニウムなどの各種金属の箔が用いられる。只、実際上は大量に市販されているアルミニウム箔が用いられる。金属箔の厚みは、包装資材としては大体６〜３０μｍ程度のものが用いられるが、実際上は１２〜１８μｍ程度である。
【００１４】
但し、金属箔にはピンホールが付き物であり、１２〜１８μｍ程度ではピンホールから水素ガスが蒸散する可能性がある。ピンホールを無しにするには、５０μｍ以上の箔が必要になるとも言われている。しかし、５０μｍ以上ものアルミニウム箔は固くて包装用には向かない。そこで、金属箔を二重にするとピンホールが完全にカバーされるので、水素水中の水素ガスの長期保存が可能となる。ここに、金属箔を二重にするとは、２枚の金属箔の間にフイルムを介在させ、且つ金属箔の両側もフイルムで保護するものである。このようにすると、全体の剛性もそう大きくならず、しかもピンホールがほぼ完全に防止される。
【００１５】
金属箔積層フイルムとしては、ポリエチレンテレフタレ−ト（ＰＥＴ）／金属箔／ポリエチレンなどの多層ラミネート、ナイロン／金属箔／ポリエチレン（又はポリプロビレン）、ＰＥＴ／金属箔／高密度ポリエチレンなどが使用される。後者でアルミニウム箔のものはレトルト食品の包装に賞用されている。これら各種フイルムの厚みは８〜３０μｍ程度のものが用いられる。尚、フイルムと金属箔の張り合わせはドライラミネートが主であるが、溶融押出しやカレンダー法などでも行うことができる。
【００１６】
一方、一軸延伸（無延伸）多層フイルムとしては、ポリエチレンやポリプロピレン、ナイロン等の一軸延伸多層フイルムが用いられる。これらのフイルムの貼り合わせもドライラミネートが主であるが、溶融押出しやカレンダー法などでも行うことができる。厚みは２５μｍ〜５０μｍである。或いは、ポリエチレンやポリプロピレン、ナイロン等の一軸延伸（無延伸）単層フイルム単独でも用いることができる。
【００１７】
液体包装袋の形状としては、５リットルや１５リットル入りの米袋状のものや、バケツ状や円筒状或いは立方体状のものなどが考えられる。米袋状のものは、背張りと上下部のシールをすることにより、或いは三方袋（シートを折り曲げて残りの三方をシールする）や四方袋（２枚のシートの四方をシールする）で形成することができる。バケツ状や円筒状或いは立体状のものは、スタンディングタイプのもので、例えば、シートを折り曲げて底部を複雑に形成するとともに両側部をシールして形成するなどにより得られる。尚、水素ガスを含有する液体としては、水や鉱泉水以外に、ジュースや牛乳、アルコール類等が用いられる。
【発明の効果】
【００１８】
本発明の効果は以上説明した通り、内側層がアルミ箔積層フイルムで外側に一軸延伸（無延伸）多層フイルム（或いは一軸延伸フイルム単層）を真空包装した液体包装袋であるところから、飲用物に含有されている水素ガスが抜け出ることもなく、飲用物を流下させるニードルを刺し入れても内側層のアルミ箔積層フイルムは決して破れない。しかも、外側の一軸延伸多層フイルム（或いは一軸延伸フイルム単層）がニードルをしっかり把持し、穿刺箇所から水や水素ガスがもれることもない。
【図面の簡単な説明】
【００１９】
【図１】図１（ａ）は、アルミ箔積層フイルムの拡大断面図、図１（ｂ）は一軸延伸多層フイルムの拡大断面図である。
【図２】図２は、アルミ箔積層フイルムで製袋した袋地の一例を示す正面図である。（実施例１）
【図３】図３は、図２の製袋した袋地に水素ガス含有液体を投入し、投入口をシールした液体入り容器の平面斜視図である。（実施例１）
【図４】図４は図３の液体入り容器に一軸延伸多層フイルムの袋を被せて真空包装した液体包装袋である。（実施例１）
【図５】図５は、袋地の片面に、一軸延伸多層フイルムの裁断片を四方シールで接着した状態の袋地の他の例を示す平面斜視図である。（実施例２）
【図６】図６は図５の袋地に水素含有飲料用液体を充填する状態の正面図である。（実施例２）
【図７】図７は、図６の製袋した袋地に水素ガス含有液体を投入し、投入口をシールした液体入り容器の平面斜視図である。（実施例２）
【図８】図８は、図７の液体入り容器を真空包装機にいれて真空処理した状態の液体包装袋である。（実施例２）
【図９】図９は、水素ガス含有飲料用液体を充填した液体包装袋がセットされたウオーターサーバーの内部構造を示す概略図である。（実施例１）
【図１０】図１０は、液体包装袋にニードルを穿刺した状態の拡大概略図である。（実施例１）
【発明を実施するための形態】
【００２０】
ニードルで穿刺しても液漏れや水素ガス漏れが生じない液体包装袋を簡単な構造で製造できた。
【実施例１】
【００２１】
図２は、本発明の液体包装袋の元となるアルミ箔積層フイルム１で背貼り２し底部３ａをシールした袋地３である。この袋地３は、図１（ａ）のアルミ箔積層フイルム１を厚み５０μｍの一軸延伸ポリエチレンフイルム１Ｐを内側にして背張りしたものである。図１（ａ）中、符号１Ａは厚み１３μｍのアルミ箔、１Ｎは厚み３０μｍの一軸延伸ナイロンフイルムである。袋地３は、この他三方シールや四方シールにより得ることもできる。
【００２２】
この袋地３から得られる液体包装袋は米袋状のものであるが、液体包装袋としては、その他立方体状のものや円筒状のものなど種々考えられる。また、寸法も使用するウオーターサーバーの形状に合わせて決定する。液体包装袋の容量も、使用するウオーターサーバーの形状に合わせて５〜１５リットル程度の範囲で決定する。
【００２３】
次に、この袋地３を図２に示すように、立てて水素含有飲料用液体Ｗを充填してから、上辺３ｂを加圧接着して、図３に示すような液体入り袋容器４とする。この際、袋容器４の内部上部に空隙（ｄｅａｄ  ｖｏｌｕｍｅ）が無いように口元一杯まで充填する。
【００２４】
この液体入り袋容器４に、一軸延伸多層フイルムの袋５を被せてから真空包装機に投入して真空にすると、アルミ箔積層フイルム１の表面に一軸延伸多層フイルム５が密着した本発明の液体包装袋６（図４）が得られる。一軸延伸多層フイルムの代わりに一軸延伸の単層フイルムを用いてもよい。尚、図１（ｂ）中符号５Ｐは厚み３０μｍの一軸延伸のポリエチレンフイルム、５Ｎは厚み３０μｍの一軸延伸のナイロンフイルムである。真空包装する場合の真空の度合いは、真空度が高いほどよく、圧力ゲージで−７６０ｍｍＨｇ〜−７４０ｍｍＨｇである（ゲージ圧表記／絶対真空は−７６０ｍｍＨｇ）。より好ましくは、−７６０ｍｍＨｇ〜−７５０ｍｍＨｇである。
【実施例２】
【００２５】
水素水を充填するアルミ箔積層フイルムの表面に、一軸延伸多層フイルム（或いは単層フイルム）の裁断片５ａをヒートシールし、四方目をシールする際に真空包装する。若しくは、真空チャンバーの中で四辺を同時にシールする。この場合、全体を覆う一軸延伸多層フイルムの外層袋は不要になる。図５〜図８は、この例を示すものである。この袋地７は、図２の袋地３の一方の面のほぼ中央部に、一軸延伸多層フイルム（或いは一軸延伸単層フイルム、無延伸単層フイルム）の裁断片５ａを載置し、その四方５ｂを充填作業の事前にヒートシール（或いは真空包装）して袋地３と一体化したものである（図５）。この袋地７に、図６のように水素含有飲料用液体Ｗを充填した後図７のように上辺３ｂを加圧接着して、液体入り袋容器８とする。この際、袋容器８の内部上部に空隙（ｄｅａｄ  ｖｏｌｕｍｅ）が無いように口元一杯まで充填する。
【００２６】
すると、図８に示すような液体包装袋９が得られる。この液体包装袋９は、一軸延伸多層フイルムが液体包装袋全体ではなく、その一部に設けられている点が液体包装袋６と異なり、他は液体包装袋６と同じである。
【００２７】
得られた液体包装袋６（或いは液体包装袋９、以下液体包装袋６で説明する）は、例えば図９に示すウオーターサーバー１０のボトルホルダー１１にセットされる。そうすると、ボトルホルダー１１の底部に設けられたニードル１２が液体包装袋６の底を穿孔し、飲料液貯留タンク１３と連通するニードル１２の中空の導液管１２ａから水素ガス含有液体Ｗが流下する。飲料液貯留タンク１３に溜まった水素ガス含有液体Ｗは、ニードル１２の下端に接する位置で落下停止する。
【００２８】
飲料液貯留タンク１３の水素ガス含有飲料用液体Ｗは導管１４で下方に送られ、途中電子冷却装置１５とヒーター１６を通り、冷水供給口１７、温水供給口１８を介して下のコップ１９、２０に冷水２１或いは温水２２を供給する。尚、水素ガス含有飲料用液体Ｗは温度が上昇すると水素ガスが蒸散しやすくなるが、短時間故そう問題はない。或いは、冷水のみ供給するようにしてもよい。符号２３はウオーターサーバー１０の台、２４は床である。
【００２９】
液体包装袋６の中の水素ガス含有飲料用液体Ｗは、自重により飲料液貯留タンク１３から流下する。その折り、液体包装袋６は真空を保ったまま空気圧に押されて変形していく。
【００３０】
尚、液体包装袋６の底を穿孔したニードル１２は、図１０に示すようにアルミ箔積層フイルム１及び一軸延伸フイルム５を突き破るが一軸延伸フイルム５がアルミ箔積層フイルム１を保護するため孔は開くが破れず、しかも一軸延伸多層フイルム（或いは単層フイルム）５がニードル１２にまとわりつき、水素ガス含有液体Ｗ及び空気の漏れを完全に封止する。また、アルミ箔積層フイルム１も、一軸延伸フイルム５が真空包装されているため決して裂けることがなくニードル１２をしっかり保持する。
【符号の説明】
【００３１】
１      アルミ箔積層フイルム
１Ｐ  ポリエチレンフイルム
１Ａ  アルミ箔
１Ｎ  ナイロンフイルム
２      背貼り
３      袋地
３ａ    袋地底辺
３ｂ    袋地上辺
４      液体入り袋容器
５      一軸延伸多層フイルム
５Ｐ    ポリエチレンフイルム
５Ｎ    ナイロンフイルム
５ａ    一軸延伸多層フイルムの裁断片
５ｂ    ヒートシール
６      液体包装袋
７      袋地
８      液体入り袋容器
９      液体包装袋
１０      ウオーターサーバー
１１      ボトルホルダー
１２      ニードル
１２ａ    導液管
１３      飲料液貯留タンク
１４      導管
１５      電子冷却装置
１６      ヒーター
１７      冷水供給口
１８      温水供給口
１９      コップ
２０      コップ
２１      冷水
２２      温水
２３      台
２４      床
【図１】
2015006899.tif 000003
【図２】
2015006899.tif 000004
【図３】
2015006899.tif 000005
【図４】
2015006899.tif 000006
【図５】
2015006899.tif 000007
【図６】
2015006899.tif 000008
【図７】
2015006899.tif 000009
【図８】
2015006899.tif 000010
【図９】
2015006899.tif 000011
【図１０】
2015006899.tif 000012